(57)【要約】【課題】  回転リールの外周面を均一に照明し、回転リールの識別情報の視認性を向上させる。【解決手段】  照明ユニット２０は、光透過性材料により成形され、前扉の後面に固定される円筒状の保護カバー２２と、両端が支持部材２６により保護カバー２２内に支持されて収容され、保護カバー２２を透過する光により、回転リールの外周面を照明可能な冷陰極管２１とを有し、保護カバー２２に、拡散材、及び冷陰極管２１の色温度に相当する色に着色し得る色素を混入する。さらに、保護カバー２２の内周面に、長手方向に沿って凹凸部２２ａを設ける。    【選択図】  図４
2008067726.tif 000002
【特許請求の範囲】
【請求項１】
筐体と、該筐体の前面に設けられる前扉と、前記筐体内に収容され、外周面に複数の識別情報が付記された回転リールと、前記前扉の後面に設けられ、前記回転リールの外周面を照明可能な照明ユニットとを備えた遊技機において、
前記照明ユニットは、光透過性材料により成形され、前記前扉の後面に固定される円筒状の保護カバーと、両端が支持部材により該保護カバー内に支持されて収容され、前記保護カバーを透過する光により、前記回転リールの外周面を照明可能な冷陰極管とを有し、前記保護カバーに、拡散材、及び前記冷陰極管の色温度に相当する色に着色し得る色素を混入したことを特徴とする遊技機。
【請求項２】
保護カバーの内周面に、長手方向に沿って凹凸部を設けたことを特徴とする請求項１記載の遊技機。
【請求項３】
保護カバーの後部に、冷陰極管を点灯させるためのインバータ回路を実装したインバータ基板を取り付けたことを特徴とする請求項１または２記載の遊技機。
【請求項４】
支持部材は、弾性材料により形成されるとともに、冷陰極管の端部が挿嵌される嵌合部を、保護カバーの端部に挿嵌することにより、前記冷陰極管を前記保護カバー内に支持することを特徴とする請求項１〜３のいずれかに記載の遊技機。
【請求項５】
支持部材の嵌合部に空気抜き口を設けたことを特徴とする請求項４記載の遊技機。
【請求項６】
支持部材に、インバータ基板と冷陰極管の電極とを電気的に接続するリード線を挾持可能なスリットを設けたことを特徴とする請求項２〜５のいずれかに記載の遊技機。
【請求項７】
インバータ基板の前面を、保護カバーの色とほぼ同色としたことを特徴とする請求項２〜６のいずれかに記載の遊技機。
【発明の詳細な説明】
【技術分野】
【０００１】
本発明は、外周面に複数の識別情報が付記された回転リールを備えた遊技機に関する。
【背景技術】
【０００２】
遊技機としてのスロットマシンにおいては、筐体と、この筐体の前面に設けられる前扉とを備え、筐体内には、外周面に複数の識別情報が付記された回転リールが収容され、また、前扉の後面には、遊技時に回転リールの外周面を照明する横長の冷陰極管が設けられている（例えば、特許文献１参照）。
【特許文献１】特開２００４−１６７０１８号公報
【発明の開示】
【発明が解決しようとする課題】
【０００３】
しかし、上述のような遊技機においては、冷陰極管の光を回転リールの外周面に直接照射して照明するため、冷陰極管が点灯しているときの光の輝線（明暗の境目）が回転リールの外周面に発生する等して視認性の低下を招くおそれがある。
【０００４】
本発明は、従来の問題に鑑みてなされたもので、回転リールの外周面を均一に照明し、回転リールの識別情報の視認性を向上させた遊技機を提供することを目的とする。
【課題を解決するための手段】
【０００５】
本発明によると、上記課題は、次のようにして解決される。
（１）筐体と、該筐体の前面に設けられる前扉と、前記筐体内に収容され、外周面に複数の識別情報が付記された回転リールと、前記前扉の後面に設けられ、前記回転リールの外周面を照明可能な照明ユニットとを備えた遊技機において、前記照明ユニットは、光透過性材料により成形され、前記前扉の後面に固定される円筒状の保護カバーと、両端が支持部材により該保護カバー内に支持されて収容され、前記保護カバーを透過する光により、前記回転リールの外周面を照明可能な冷陰極管とを有し、前記保護カバーに、拡散材、及び前記冷陰極管の色温度に相当する色に着色し得る色素を混入する。
【０００６】
（２）上記(１)項において、保護カバーの内周面に、長手方向に沿って凹凸部を設ける。
【０００７】
（３）上記(１)または(２)項において、保護カバーの後部に、冷陰極管を点灯させるためのインバータ回路を実装したインバータ基板を取り付ける。
【０００８】
（４）上記(１)〜(３)項のいずれかにおいて、支持部材は、弾性材料により形成されるとともに、冷陰極管の端部が挿嵌される嵌合部を、保護カバーの端部に挿嵌することにより、前記冷陰極管を前記保護カバー内に支持する。
【０００９】
（５）上記(４)項において、支持部材の嵌合部に空気抜き口を設ける。
【００１０】
（６）上記(２)〜(５)項のいずれかにおいて、支持部材に、インバータ基板と冷陰極管の電極とを電気的に接続するリード線を挾持可能なスリットを設ける。
【００１１】
（７）上記(２)〜(６)項のいずれかにおいて、インバータ基板の前面を、保護カバーの色とほぼ同色とする。
【発明の効果】
【００１２】
本発明によれば、次のような効果が奏せられる。
（ａ）請求項１記載の発明によると、保護カバーに、拡散材、及び冷陰極管の色温度に相当する色に着色し得る色素を混入したことにより、回転リールの外周面への輝線の発生を減少させて、回転リールの外周面を均一に照明することができ、識別情報の視認性の向上を図ることができる。
【００１３】
（ｂ）請求項２記載の発明によると、保護カバーの内周面に、長手方向に沿って凹凸部を設けたことにより、冷陰極管の光をより効果的に拡散させ、回転リールの外周面をより均一に照明することができる。
【００１４】
（ｃ）請求項３記載の発明によると、保護カバーの後部に、冷陰極管を点灯させるためのインバータ回路を実装したインバータ基板を取り付けたことにより、冷陰極管、保護カバー及びインバータ基板のユニット化が可能となり、インバータ基板の取付けを容易に行うことができる。
【００１５】
（ｄ）請求項４記載の発明によると、支持部材を弾性材料により形成するとともに、支持部材の嵌合部を保護カバーの端部に挿嵌することにより、冷陰極管を保護カバー内に簡単かつ確実に支持して収容することができる。
【００１６】
（ｅ）請求項５記載の発明によると、支持部材の嵌合部に空気抜き口を設けたことにより、保護カバー内の温度上昇を抑えることができる。
【００１７】
（ｆ）請求項６記載の発明によると、支持部材に、インバータ基板と冷陰極管の電極とを電気的に接続するリード線を挾持可能なスリットを設けたことにより、リード線の垂れ下がりを防止することができる。
【００１８】
（ｇ）請求項７記載の発明によると、インバータ基板の前面を、保護カバーの色とほぼ同色としたことにより、回転リールの外周面をより効果的に照明することができる。
【発明を実施するための最良の形態】
【００１９】
図１は、本発明を適用した遊技機の正面図、図２は、前扉を開けた状態の遊技機の斜視図、図３は、図１におけるIII−III線に沿う縦断面図である。なお、以下の説明では、図１、２における紙面手前を遊技機の前方とし、図１、２における紙面奥を遊技機の後方とする。
【００２０】
遊技機（スロットマシン）(１)は、遊技媒体を円板状のメダル（コインも含む）とし、メダルを、筐体(２)における前扉(３)の右側に設けたメダル投入部(４)に投入することにより、後述のような所定のゲームが行われるものである。なお、前扉(３)は、筐体(２)の前面に開閉可能に枢支されている。
【００２１】
筺体(２)内には、外周面に複数種類の図柄が描かれた左、中、右３個の回転リール(５)と、メダルを貯留及び払出可能なホッパーユニット(６)と、遊技全体を統括的に制御する主制御基板(７)と、主制御基板(７)から出力される制御信号に基づいて、前扉(３)の裏面側に設けられた各種遊技情報及び演出を表示可能な液晶表示ユニット(31)、効果音を発生するスピーカ(32)、光により演出効果を盛り上げるランプ(33)等に制御信号を出力可能な副制御基板(８)と、主制御基板(７)へ電力を供給する電源装置(10)が収容されている。
【００２２】
前扉(３)の前面には、液晶表示ユニット(31)に表示される遊技情報及び演出を視認可能な遊技情報表示窓(34)と、各回転リール(５)の図柄等の識別情報を３こまずつ視認可能な識別情報表示窓(35)と、前扉(３)の裏面に設けられた中部基板(3a)に表示されるメダルの払出数、クレジット数等の各種情報を視認可能な複数の情報表示窓(36)と、遊技を行うときにメダルが投入される前記メダル投入部(４)と、各種スイッチが設けられたスイッチ操作部(37)と、メダルを受け入れ可能な受け皿(39)とが設けられている。なお、クレジット数とは、予めメダル投入部(４)に投入されたメダルを電気的に記憶して貯留する数である。
【００２３】
スイッチ操作部(７)には、クレジット状態のメダルを精算するときに操作される精算スイッチボタン(40)、クレジット状態のメダルを１枚ずつゲームに投資するときに操作される１枚ベットスイッチボタン(41)、最大数の３枚のメダルをゲームに投資するときに操作されるＭＡＸベットスイッチボタン(42)、各回転リール(５)を回転させるときに操作されるスタートスイッチレバー(43)、及び各回転リール(５)の回転を停止させるときに操作されるストップスイッチボタン(44)等が設けられている。
【００２４】
前扉(３)の後面側には、前述の液晶表示ユニット(31)及びスピーカ(32)の他に、各回転リール(５)の外周面を上方から照明可能な横長の照明ユニット(20)と、メダル投入部(４)に投入されたメダルの真偽を判別可能なメダルセレクター(11)と、メダルセレクター(11)から放出される真のメダルをホッパーユニット(６)内に誘導するメダルシュート(17)と、メダルセレクター(11)から排出される偽のメダルを前扉(３)のメダル受皿(39)に誘導する返却ダクト(18)とが設けられている。
【００２５】
遊技機(１)の遊技は、遊技者がメダルをメダル投入部(４)に投入した後、１枚ベットスイッチボタン(41)またはＭＡＸベットスイッチボタン(42)によりメダルの賭数を設定した後、スタートスイッチレバー(43)を操作して、全ての回転リール(５)を回転させることによって開始される。このとき、回転リール(５)の識別情報を含む外周面は照明ユニット(20)により照明されているため、遊技者は、照明ユニット(20)の照明に基づいて識別情報を明視することができる。
【００２６】
回転リール(５)が回転して所定時間が経過した後、３個のストップスイッチボタン(44)を順次操作して、各回転リール(５)の回転を停止させ、停止した３個の回転リール(５)の図柄の組み合わせにより、入賞の有無、及び賞の大小に応じたメダルの配当枚数が確定され、入賞した場合には、予め定めた入賞枚数分だけクレジット数に加算される。クレジット数が５０枚を超過した場合には、その超過分に相当する数のメダルがホッパーユニット(６)からメダル受皿(39)に払い出される。
【００２７】
図４は、照明ユニット(20)の分解斜視図、図５は、要部の拡大斜視図、図６は、照明ユニットの正面図、図７は、照明ユニットの後面図、図８は、図６におけるVIII−VIII線に沿う横断面図、図９は、図６におけるIX−IX線に沿う拡大縦断面図、図１０は、図６におけるＸ−Ｘ線に沿う拡大縦断面図である。なお、図４、５において、左斜め下方を「前方」とし、右斜め上方を「後方」とする。
【００２８】
照明ユニット(20)は、横長の冷陰極管(21)と、冷陰極管(21)を収容する保護カバー(22)と、冷陰極管(21)を点灯させるためのインバータ回路(23a)を実装したインバータ基板(23)と、インバータ回路(23a)を覆う基板カバー(24)とを含んで構成される。
【００２９】
保護カバー(22)は、透明樹脂材料に二酸化チタン等の微粉末の拡散材、及び透明樹脂材料に着色し得る色素を混入して、冷陰極管(21)の色温度に相当する白色に着色されるとともに、押し出し成形により円筒状に形成される。
【００３０】
保護カバー(22)の内周面には、冷陰極管(21)の光をさらに拡散させる作用をなす凹凸部(22a)が保護カバー(22)の長手方向（左右方向）に沿って連続的に設けられ、また、同じく外周面における後部には、外周面より上下に突出し、かつ後面が平坦な平坦部(25)が長手方向に沿って設けられている。平坦部(25)は、インバータ基板(23)及び基板カバー(24)の取付けを可能にするとともに、保護カバー(22)の剛性を高める効果を奏している。なお、以下に使用する長手方向は、保護カバー(22)の長手方向を示す。
【００３１】
冷陰極管(21)は、両端部が保護カバー(22)の両端部に挿嵌される左右の支持部材(26)により支持された状態で、保護カバー(22)内に収容される。これにより、照明ユニット(20)の搬送時及び取付け作業中、冷陰極管(21)の破損を防止することができる。
【００３２】
支持部材(26)は、軟質の難燃性シリコンゴム等の弾性材料により形成されるとともに、直方体の基部(26a)と、基部(26a)から長手方向へ突出する嵌合部(26b)とを有し、嵌合部(26b)を保護カバー(22)の端部に挿嵌することにより、保護カバー(22)の端部に固定され、また、嵌合部(26b)及び基部(26a)を貫通した貫通孔(26c)に、冷陰極管(21)の端部が挿嵌されることにより、冷陰極管(21)を保護カバー(22)内に支持することができる。
【００３３】
嵌合部(26b)における外周面には、円周方向に沿って凹凸状の複数の突条部(26d)が設けられ、また同じく前部には、平坦部(26e)が設けられている。突条部(26d)は、嵌合部(26b)が保護カバー(22)の端部から抜け難くするためのものである。また、平坦部(26e)は、嵌合部(26b)を保護カバー(22)の端部に挿嵌した状態において、嵌合部(26b)と保護カバー(22)の内周面との間に、空気抜き孔をなす隙間を形成するためのものである。この隙間は、基部(26a)の前面に設けられた長手方向の溝部(26f)に連通される。すなわち、本実施形態における空気抜き孔は、平坦部(26e)と溝部(26f)とにより形成される。
【００３４】
冷陰極管(21)の各電極に電気的に接続されるリード線(27)は、保護カバー(22)とほぼ同じ色が使用されるとともに、支持部材(26)の貫通孔(26c)を挿通して保護カバー(22)外に排出され、インバータ基板(23)に電気的に接続される。支持部材(26)には、貫通孔(26c)に連続して形成され、かつ後方を向くスリット(26g)が設けられている。このスリット(26g)は、リード線(27)を上下方向から挾持することによって、リード線(27)の垂れ下がりを防止するものである。
【００３５】
基板カバー(24)は、全体形状が側面視ほぼコ字状をなし、かつ前方へ突出する上下の弾性係合片(24a)、及び前方へ突出する１個の位置決め突部(24b)を有し、上下の弾性係合片(24b)が、保護カバー(22)の平坦部(25)を上下から挟み込むように、平坦部(25)の上下端に弾性係合するととともに、位置決め突部(24b)が保護カバー(22)に設けられた位置決め孔(22b)に係合することによって、保護カバー(22)の平坦部(25)の後面に位置決めされて固定される。
【００３６】
インバータ基板(23)は、基板カバー(24)を保護カバー(22)に固定する前、予め、位置決め孔(22b)に対応する箇所に設けられた孔部(23b)に、基板カバー(24)の位置決め突部(24b)を係合させた状態で、ビス(28)により基板カバー(24)の前部に固定される。インバータ基板(23)の保護カバー(22)に対向する前面は、保護カバー(22)と同色の白色に塗装されている。これにより、インバータ基板(23)を保護カバー(22)に取り付けても、冷陰極管(22)の照明時に、インバータ基板(23)の影が保護カバー(22)に出難くなるため、回転リール(５)の外周面をより均一に照明することができる。
【００３７】
図１１は、前扉(３)に対する照明ユニット(20)の取付け要領を示す前扉(３)の後面における要部の斜視図である。照明ユニット(20)は、保護カバー(22)の右端部（図１１において左方）に固定された支持部材(26)の基部(26a)を、前扉(３)の後面における識別情報表示窓(35)の右上方に設けられた取付部(3b)に嵌合した後、保護カバー(22)の左端部（図１１において右方）に固定された支持部材(26)の基部(26a)を、前扉(３)の後面における識別情報表示窓(35)の左上方に設けられた取付部(3c)に押し込んむことにより、取付部(3c)に設けられた上下の弾性支持片(3d)(3d)間に挾持されることによって、前扉(３)の後面に固定される。
【００３８】
上述のように、冷陰極管(21)を収容する保護カバー(22)に、拡散材、及び冷陰極管の色温度に相当する色に着色し得る色素を混入して、保護カバー(22)を透過する冷陰極管(21)の光により、回転リール(５)の外周面を照明するようにしたことにより、回転リール(５)の外周面への輝線の発生を減少させて、回転リール(５)の外周面を均一に照明することができる。これにより、遊技者は、冷陰極管(21)の光に基づいて回転リール(５)の識別情報を明示することができる。また、保護カバー(22)の内周面に、長手方向に沿って凹凸部(22a)を設けたことにより、冷陰極管(21)を光をより効果的に拡散させることができる。
【図面の簡単な説明】
【００３９】
【図１】本発明を適用した遊技機の正面図である。
【図２】前扉を開けた状態の遊技機の斜視図である。
【図３】図１におけるIII−III線に沿う拡大縦断面図である。
【図４】照明ユニットの分解斜視図である。
【図５】支持部材の拡大斜視図である。
【図６】照明ユニットの正面図である。
【図７】照明ユニットの後面図である。
【図８】図６におけるVIII−VIII線に沿う横断面図である。
【図９】図６におけるIX−IX線に沿う拡大縦断面図である。
【図１０】図６におけるＸ−Ｘ線に沿う拡大縦断面図である。
【図１１】照明ユニットの取付け要領を示す前扉の後面における要部の斜視図である。
【符号の説明】
【００４０】
(１)遊技機
(２)筐体
(３)前扉
(3a)中部基板
(3b)(3c)取付部
(3d)弾性支持片
(４)メダル投入部
(５)回転リール
(６)ホッパーユニット
(７)主制御基板
(８)副制御基板
(10)電源装置
(11)メダルセレクター
(17)メダルシュート
(18)返却ダクト
(20)照明ユニット
(21)冷陰極管
(22)保護カバー
(22a)凹凸部
(22b)位置決め孔
(23)インバータ基板
(23a)インバータ回路
(23b)孔部
(24)基板カバー
(24a)弾性係合片
(24b)位置決め突部
(25)平坦部
(26)支持部材
(26a)基部
(26b)嵌合部
(26c)貫通孔
(26d)突条部
(26e)平坦部（空気抜き口）
(26f)溝部（空気抜き口）
(26g)スリット
(27)リード線
(28)ビス
(31)液晶表示ユニット
(32)スピーカ
(33)ランプ
(34)遊技情報表示窓
(35)識別情報表示窓
(36)情報表示窓
(37)スイッチ操作部
(39)受皿
(40)精算スイッチボタン
(41)１枚ベットスイッチボタン
(42)ＭＡＸベットスイッチボタン
(43)スタートスイッチレバー
(44)ストップスイッチボタン
【図１】
2008067726.tif 000003
【図２】
2008067726.tif 000004
【図３】
2008067726.tif 000005
【図４】
2008067726.tif 000006
【図５】
2008067726.tif 000007
【図６】
2008067726.tif 000008
【図７】
2008067726.tif 000009
【図８】
2008067726.tif 000010
【図９】
2008067726.tif 000011
【図１０】
2008067726.tif 000012
【図１１】
2008067726.tif 000013